(57)【要約】【課題】同じ房に成った、幼果の付いた複数本の果柄を、その中心となる幼果の付いた１本の果柄を残して、切断、除去する摘果鋏を提供する。【解決手段】房に成った切断せずに残す１本の幼果の付いた果柄２０を、摘果鋏の外側に湾曲する一方の鋏柄先端の外側部分に設けられた空間１７に配置すると共に、それ以外の同じ房に成った幼果の付いた複数本の果柄２０を、摘果鋏のほぼＶ字状に開かれた、上下２枚の鋏柄の先端内側空間１５に配置する。次いで、そのほぼＶ字状に開かれた摘果鋏の上下２枚の鋏柄の先端１１を閉じて、その上下２枚の鋏柄の先端内側に設けられた刃部１２により、そのほぼＶ字状に開かれた摘果鋏の上下２枚の鋏柄の先端内側空間１５に配置された、同じ房に成った幼果の付いた複数本の果柄２０を、その中途部から一度に切断、除去する。【選択図】図３
2007151842.tif 000002
【特許請求の範囲】
【請求項１】
先端内側に刃部を持つ上下２枚の鋏柄が、そのほぼ中央部で回動自在に軸支されて、前記２枚の鋏柄の先端がほぼＶ字状に開かれたり互いに重ね合わせられたりして使用される鋏であって、
前記刃部を持つ上下２枚の鋏柄の先端が、その鋏柄が回動する平面内で、共に同じ一方の側にほぼ同一曲率で弧状に湾曲形成されて、その外側に湾曲する一方の鋏柄先端の外側部分に残す果柄を逃がす空間が設けられてなることを特徴とする摘果鋏。
【請求項２】
前記２枚の鋏柄先端内側の一方の刃部に、複数の凹部又は複数の縦溝が並べて設けられたことを特徴とする請求項１記載の摘果鋏。
【発明の詳細な説明】
【技術分野】
【０００１】
本発明は、先端に幼果の付いた複数本の果柄を果樹の枝に房状に付ける、リンゴ、ナシ、プルーン等の摘果作業に用いられる摘果鋏に関する。
【背景技術】
【０００２】
リンゴ、ナシ、プルーン等は、その成長過程において、図５に示したように、先端に幼果２２の付いた複数本の果柄２０を果樹の枝２４に房状に成らせる。
その際には、その成長の良好な中心となる幼果２２の付いた果柄２０を１本残して、その他の同じ房に成った幼果の付いた複数本の果柄２０を、その中途部から摘果鋏を用いて切断、除去している。この作業は、摘果作業と呼ばれる。
摘果作業は、その中心となる幼果２２を大きく良好な果実に生育するためと、果樹勢保護のために行われる。
【０００３】
この摘果作業を行う摘果鋏には、一般に、水平鋏と呼ばれる鋏が用いられる。そして、その鋏を用いて、果樹の枝に房状に付いた複数本の果柄を、その中心となる幼果の付いた１本の果柄を残して、その中途部から１本ずつ切断、除去している。
【０００４】
しかしながら、果樹１本には、数百個の幼果が付くために、それらの幼果の付いた果柄を、その中心となる幼果の付いた果柄を残して、上記のようにして、水平鋏を用いて、１本ずつ切断、除去した場合には、多大な手数と労力を要した。特に、多数本の果樹が植えられた果樹園などにおいては、その摘果する幼果の付いた果柄の切断、除去数が、天文学的な大きな数値となってしまい、果樹栽培農家にとっては、摘果作業が、果樹栽培の合理化を妨げる最大のネックとなっていた。
【０００５】
このような難点を解消するものとしては、例えば、実開平０５−５５８５１号公報記載の摘果鋏、特開２００５−５８６０６号公報記載の鋏などが挙げられる。
【特許文献１】実開平０５−５５８５１号公報
【特許文献２】特開２００５−５８６０６号公報
【発明の開示】
【発明が解決しようとする課題】
【０００６】
しかしながら、上記公報記載の摘果鋏や鋏は、いずれも、その使い勝手が悪かったり、その取り扱いが面倒であったりして、一般に広く利用されていない。
【０００７】
本発明は、このような課題に鑑みてなされたもので、誰でもが手軽に使用可能な、使い勝手が良く、取り扱いの容易な摘果鋏であって、果樹の枝に房状に成った、幼果の付いた複数本の果柄を、その成長の良好な中心となる幼果の付いた果柄を１本残して、その中途部から一度に切断、除去できる摘果鋏を提供することを目的としている。
【課題を解決するための手段】
【０００８】
このような目的を達成するために、本発明の摘果鋏は、先端内側に刃部を持つ上下２枚の鋏柄が、そのほぼ中央部で回動自在に軸支されて、前記２枚の鋏柄の先端がほぼＶ字状に開かれたり互いに重ね合わせられたりして使用される鋏において、
前記刃部を持つ上下２枚の鋏柄の先端が、その鋏柄が回動する平面内で、共に同じ一方の側にほぼ同一曲率で弧状に湾曲形成されて、その外側に湾曲する一方の鋏柄先端の外側部分に残す果柄を逃がす空間が設けられてなることを特徴としている。
【０００９】
摘果鋏を、このような構成とすることにより、前記のようにして、果樹の枝に房状に成った、幼果の付いた複数本の果柄を、成長の良好な中心となる幼果の付いた果柄を１本残して、その中途部から切断、除去する際には、その切断せずに残す１本の幼果の付いた果柄を、摘果鋏の外側に湾曲する一方の鋏柄先端の外側部分に設けられた空間に配置できる。それと共に、それ以外の切断、除去する同じ房に成った幼果の付いた複数本の果柄を、摘果鋏のほぼＶ字状に開かれた、刃部を持つ上下２枚の鋏柄の先端内側空間に配置できる。
次いで、そのほぼＶ字状に開かれた摘果鋏の刃部を持つ上下２枚の鋏柄の先端を互いに重ね合わせるように閉じることができる。そして、その上下２枚の鋏柄の先端内側に設けられた刃部により、そのほぼＶ字状に開かれた摘果鋏の上下２枚の鋏柄の先端内側空間に配置された、同じ房に成った幼果の付いた複数本の果柄を、その中途部から一度に切断、除去できる。
即ち、摘果を行う際には、残そうとする幼果の付いた１本の果柄を、摘果鋏の外側に湾曲する一方の鋏柄先端の外側部分に設けられた空間に配置すると共に、その他の同じ房に成った幼果の付いた複数本の果柄を、摘果鋏のほぼＶ字状に開かれた、上下２枚の鋏柄の先端内側空間に配置するだけで、同じ房に成った、幼果の付いた複数本の果柄を、その中心の幼果の付いた１本の果柄を残して、手数と時間を掛けずに、一度に容易かつ迅速に切断、除去できる。
さらに、鋏柄先端の刃部が湾曲していることで、遠くの果柄も、手を回すことなく、手前から容易に切断できる。
【００１０】
本発明の摘果鋏においては、前記２枚の鋏柄先端内側の一方の刃部に、複数の凹部又は複数の縦溝が並べて設けられた構造とすると良い。
そして、上記のようにして、果樹の枝に房に成った、幼果の付いた果柄のうちの、切断せずに残す中心となる幼果の付いた１本の果柄以外の、その他の同じ房に付いた複数本の果柄を、刃部の付いた２枚の鋏柄先端内側に挟み込んで一度に切断する際に、その２枚の鋏柄先端内側に挟み込んで切断する複数本の果柄を、鋏柄先端内側の刃部に設けられた複数の凹部又は複数の縦溝に引っかけた状態とすると良い。そして、その２枚の鋏柄先端内側に挟み込まれた複数本の果柄のうちの、１本乃至複数本の果柄が、鋏柄先端内側に備えられた刃部上をその先方へと滑って、上下２枚の鋏柄先端内側からその先方に抜け出てしまうのを、防ぐと良い。そして、その鋏柄先方に抜け出た果柄を、鋏柄先端内側に備えられた刃部により切断、除去できなくなるのを、防ぐと良い。
【発明の効果】
【００１１】
以上説明したように、本発明の摘果鋏によれば、同じ房に成った、幼果の付いた複数本の果柄を、その中心となる幼果の付いた１本の果柄を残して、手数と時間を掛けずに、一度に容易かつ迅速に切断、除去できる。
また、摘果を行う際には、その切断せずに残す幼果の付いた１本の果柄を、摘果鋏の外側に湾曲する一方の鋏柄先端の外側部分に設けられた空間に配置すると共に、その他の同じ房に成った幼果の付いた複数本の果柄を、摘果鋏のほぼＶ字状に開かれた、上下２枚の鋏柄の先端内側空間に配置するだけで良く、誰でもが手軽に使用でき、使い勝手が良く、取り扱いの容易な摘果鋏を提供可能となる。
【発明を実施するための最良の形態】
【００１２】
図１と図２は本発明の摘果鋏の好適な実施の形態を示し、図１はその鋏柄の先端を閉じた状態の平面図、図２はその鋏柄の先端を開いた状態の平面図である。以下に、この摘果鋏を説明する。
【００１３】
この摘果鋏は、先端内側に刃部１２を持つ上下２枚の鋏柄１０が、そのほぼ中央部１４で、軸１６により回動自在に軸支されている。上下２枚の鋏柄の後部１８には、ほぼリング状をしたＡＢＳ樹脂製の取手１９が備えられている。そして、その取手１９に手の指を絡ませて、取手の付いた上下２枚の鋏柄の後部１８を閉じたり開いたりすることにより、その２枚の鋏柄の先端１１が、上記軸１６を中心に、ほぼＶ字状に開かれたり互いに重なり合わせられたりするように構成されている。そして、その２枚の鋏柄の先端内側に設けられた刃部１２により、その２枚の鋏柄の先端内側空間１５に配置された、幼果の付いた果柄が切断されるように構成されている。
【００１４】
以上の構成は、従来の水平鋏と同様であるが、図１と図２に示された摘果鋏においては、刃部を持つ上下２枚の鋏柄の先端１１が、その鋏柄１０が回動する平面内で、共に同じ一方の側（図１と図２では下側）にほぼ同一曲率で弧状に湾曲形成されている。そして、その外側に湾曲する一方の鋏柄先端の外側部分に、切断せずに残す中心となる幼果の付いた果柄を逃がす空間１７が設けられている。
【００１５】
図１と図２に示された摘果鋏は、以上のように構成されていて、この摘果鋏を用いて摘果を行う際には、図３に示されたように、リンゴ、ナシ等の果樹の枝２４に房状に成った、幼果２２の付いた複数本の果柄２０のうちの、切断せずに残す成長の良好な中心となる幼果の付いた１本の果柄２０を、摘果鋏の外側に湾曲する一方の鋏柄先端の外側部分に設けられた空間１７に配置する。それと共に、摘果鋏の上下２枚の取手の付いた鋏柄後部１８を開いて、摘果鋏の上下２枚の鋏柄の先端１１をほぼＶ字状に開いた状態とする。そして、そのほぼＶ字状に開かれた、刃部１２を持つ上下２枚の鋏柄の先端内側空間１５に、上記の切断せずに残す幼果の付いた果柄２０以外の、その他の同じ房に成った幼果２２の付いた複数本の果柄２０を配置する。
次いで、摘果鋏の上下２枚の取手の付いた鋏柄後部１８を閉じて、そのほぼＶ字状に開かれた摘果鋏の刃部１２を持つ上下２枚の鋏柄先端１１を互いに重ね合わせるように閉じる。そして、その上下２枚の鋏柄先端内側に設けられた刃部１２により、そのほぼＶ字状に開かれた摘果鋏の上下２枚の鋏柄の先端内側空間１５に配置された、同じ房に成った幼果の付いた複数本の果柄２０を、その中途部から一度に切断、除去する。
そして、リンゴ、ナシ等の果樹の枝に房状に成った、幼果の付いた複数本の果柄２０のうちの、その成長の良好な中心となる幼果２２の付いた１本の果柄２０を残して、それ以外の複数本の幼果の付いた果柄２０を、その中途部から切断、除去する。
【００１６】
図１と図２に示された摘果鋏においては、図４に示されたように、その上下２枚の鋏柄先端内側の一方の刃部１２に、複数の凹部１３又は複数の縦溝（図４では凹部としている）を並べて設けると良い。
そして、果樹の枝２４に房状に成った、幼果２２の付いた複数本の果柄２０のうちの、切断せずに残す幼果２２の付いた中心となる１本の果柄２０以外の、その他の同じ房に付いた複数本の果柄２０を、刃部１２の付いた２枚の鋏柄先端１１内側に挟み込んで一度に切断する際に、その２枚の鋏柄先端１１内側に挟み込まれた複数本の果柄２０の中途部を、その鋏柄先端内側の刃部１２に並べて設けられた、複数の凹部１３又は複数の縦溝に引っかけた状態とすると良い。そして、その２枚の鋏柄先端１１内側に挟み込まれた複数本の果柄２０が、鋏柄先端内側に備えられた刃部１２上をその先方へと滑って、上下２枚の鋏柄先端１１内側からその先方に抜け出てしまうのを、防ぐと良い。そして、その鋏柄１０先方に抜け出た果柄２０を、鋏柄先端内側に備えられた刃部１２により切断、除去できなくなるのを、防ぐと良い。
【産業上の利用可能性】
【００１７】
本発明の摘果鋏は、果樹の枝に房状に成った幼果の付いた複数本の果柄を、その中心となる幼果の付いた１本の果柄を残して、その中途部から手数と時間を掛けずに一度に切断、除去するための摘果作業に、広く利用可能である。
【図面の簡単な説明】
【００１８】
【図１】本発明の摘果鋏の平面図である。
【図２】本発明の摘果鋏の平面図である。
【図３】本発明の摘果鋏の使用状態説明図である。
【図４】本発明の摘果鋏の使用状態説明図である。
【図５】果樹の枝に房状に成った幼果の付いた複数本の果柄の斜視図である。
【符号の説明】
【００１９】
１０ 鋏柄
１１ 鋏柄先端
１２ 刃部
１３ 凹部
１４ 鋏柄中央部
１５ 鋏柄先端内側空間
１６ 軸
１７ 鋏柄先端の外側部分に設けられた空間
１８ 鋏柄後部
１９ 取手
２０ 果柄
２２ 幼果
【図１】
2007151842.tif 000003
【図２】
2007151842.tif 000004
【図３】
2007151842.tif 000005
【図４】
2007151842.tif 000006
【図５】
2007151842.tif 000007